(57)【要約】      （修正有）【課題】介護者、要介護者双方の身体的負担を軽減できる移乗用介護用品を提供する。【解決手段】要介護者の臀部全体を包み込む包持部１と、前記包持部の下辺から延設する少なくとも２本の脚拘束帯２とからなり、前記包持部には前記脚拘束帯を通す挿通孔１１と、介護者がつかむ為の把持部１２とを設け、前記脚拘束帯は要介護者の股の間で交差して前記挿通孔に挿通するように構成する。また、包持部の左右の端部に、フックやボタン等の留め具１３を設け、要介護者の腹部の前で留めることで包持部のずれを防止する。【選択図】図２
0003184339.tif 000002
【実用新案登録請求の範囲】
【請求項１】
移乗用介護用品であって、
要介護者の臀部全体を包み込む包持部と、
要介護者の大腿部を拘束する少なくとも２本の脚拘束帯と、からなり、
前記脚拘束帯は、前記包持部の下辺から延設し、
前記包持部には、前記脚拘束帯を挿通する為の挿通孔と、移乗時に介護者が掴む把持部と、を有することを特徴とする、移乗用介護用品。
【請求項２】
前記包持部には、前記包持部の左右の端部を要介護者の前面で留め合わせる為の留め具を設ける事を特徴とする、請求項１に記載の移乗用介護用品。
【考案の詳細な説明】
【技術分野】
【０００１】
本考案は、要介護者の移乗に使用する介護用品に関するものである。
【背景技術】
【０００２】
介護の現場において、要介護者は様々な疾病により、障害（片麻痺、筋緊張の亢進、拘縮）、廃用性による筋力低下などで、寝たきりになってしまうことが多い。
それを予防する為には、できるだけベッドから離れた生活を送る必要がある。
しかし、介護者が要介護者を車椅子や椅子、トイレなどへ移乗する際には、介護者、要介護者ともに身体に大きな負担がかかっている。
【０００３】
従来の移乗作業は、例えば車椅子からベッドまでの移乗の場合、次のように行っている。
＜１＞介護者が車椅子に座った要介護者へかがみこむ。
＜２＞介護者が要介護者の腰に両腕をまわし、手を組んで抱える。要介護者は介護者の背中に両腕をかける。この際、介護者と要介護者ができるだけ身体を近づける。
この場合、組んだ手が外れたり、要介護者の身体が腕から抜ける事を避けるために、要介護者のズボンを掴むこともある。
＜３＞介護者が要介護者を車椅子に座らせたまま、自分の方向へ引き寄せる。
＜４＞介護者が腰と膝を使って要介護者を引き起こし、立たせる。
＜５＞介護者が要介護者を支えながら身体をまわし、ベッド方向へ身体の向きを変える。
＜６＞介護者が要介護者を抱えながら、ベッドへゆっくりと降ろす。
【０００４】
要介護者の移乗に関しては、下記のような従来技術が存在する。
特許文献１においては、介護者の作業負担を軽減する為の、把持部つきのズボン等が開示されている。
また、特許文献２においても、介護者の作業負担を軽減する為の、要介助者の腰に巻きつけるベルト型の介助具が開示されている。
【先行技術文献】
【特許文献】
【０００５】
【特許文献１】特開２００７−２９７７４１
【特許文献２】特開２０００−３００６０７
【考案の概要】
【考案が解決しようとする課題】
【０００６】
従来の移乗作業においては、次のような問題点がある。
＜１＞移乗時、要介護者は身体を突っ張る傾向がある。その為、そのまま引き起こそうとすると、要介護者と介護者の距離が大きく、重心移動距離が長くなるため、介護者の身体的負担が大きく、特に腰痛になりやすい。
＜２＞足で踏ん張ることができない要介護者を移乗する時には、要介護者を立たせた後、介護者が要介護者を抱えていなければならない。
この場合、介護者、要介護者双方の身体的な負担が大きい。
また、要介護者がバランスを崩して転倒する危険がある。
＜３＞要介護者の背中が曲がっている場合や要介護者の体格が小柄な場合、介護者が低い位置までかがみこんで要介護者を引き起こさなければならない。
この為、介護者の腰だけでなく膝にも大きな負担がかかっている。
＜４＞要介護者を抱え上げる際に、要介護者のズボンを掴む場合、要介護者の体重でズボンが破けたり、伸びてしまうことがある。
＜５＞トイレのため、ベッドで要介護者のズボンを下げてから移乗しようとすると、掴む場所がなく、抱え上げるのが困難である。
その為、立たせてからズボンを下げようとすると、介護者一人では手が足りず、二名での作業が必要である。
この場合、ズボンを下ろす作業時に、バランスを崩した要介護者が転倒する危険がある。
＜６＞要介護者の運搬用に介護リフトが開発されているが、高価であり、介護者の経済負担となる。
【０００７】
移乗作業に係るこれらの問題点を総括すると、次の点に集約される。
＜１＞介護者の身体的負担が大きい。
＜２＞要介護者の身体的負担が大きい。
＜３＞要介護者の転倒の危険がある。
＜４＞移乗作業が効率的でない。
＜５＞移乗作業の補助手段が高価である。
【０００８】
然るにこれらの問題点は、前述の先行技術によっても十分に解消されていない。
例えば、特許文献１の、把持部つきのズボンは、当該ズボンを使用する場合、移乗の度に要介護者のズボンを当該把持部付きのズボンへ履き替えなくてはならない。
しかし、ベッドに寝ている状態や、車いすに座った状態からズボンを履き替える作業は非常に手間がかかり、介護者、要介護者ともに大きな負担である。トイレの移動や食事、運動まで含めると一日の移乗回数は十数回にもなる。その為、移乗のたびにズボンを履き替える当該技術は実効性に乏しい。
また、特許文献２の、要介助者の腰に巻きつけるベルト型の介助具は、要介護者の体重を要介護者の腰に巻きつけたベルトを通じて支えるものである。
この方法では、介護者は、重心である要介護者の臀部を支えないため、要介護者の身体の支持が安定せず、介護者の身体的負担は殆ど軽減されない。
さらに、腰に巻いたベルトのみで上方に引き上げられるため、ベルトが身体に食い込み、要介護者にとっても苦痛である。
【課題を解決するための手段】
【０００９】
上記のような課題を解決する本考案に係る移乗用介護用品は、要介護者の腰にあてて臀部全体を包み込み、介護者がそれをつかむことで安全に移乗作業をする為の介護用品である。
本考案に係る移乗用介護用品は、要介護者の臀部全体を包み込む包持部と、要介護者の大腿部を拘束する少なくとも２本の脚拘束帯と、からなり、前記脚拘束帯は、前記包持部の下辺から延設し、前記包持部には、前記脚拘束帯を挿通する為の挿通孔と、移乗時に介護者が掴む把持部と、を有することを特徴とする。
【考案の効果】
【００１０】
本考案の移乗用介護用品は、以上説明した構造であるため、次の効果の少なくともひとつを備えている。
＜１＞包持部で臀部を均一に包み込み、介護者が掴む支持部を有する為、要介護者の重心移動を安定して行うことができる。その為、介護者の腰やひざにかかる負担が小さい。
＜２＞包持部で臀部を均一に包み込むことにより、要介護者の身体にかかる圧力が分散される。また、クッション性の高い素材を用いることで、要介護者の肌への外傷を防ぐ効果がある。その為、要介護者の身体への負担が小さい。
＜３＞要介護者の支持が安定しており、またズボンの履き替え作業が必要ないため、要介護者が転倒する等の事故の危険性が少ない。
＜４＞一人で座位を取れない要介護者に対して、ベッドに寝たままの体勢からでも簡単に着脱できる。その為、移乗作業を短時間に少ない労力で行うことができる。
＜５＞構成が簡単で安価な素材を選択できる為、製造費用が安い。その為、病院や介護施設だけでなく、家庭でも手軽に使用できる。
＜６＞ジーンズ等を加工して製造することにより、廃棄物の再利用ができ、資源の有効活用に資する。
【図面の簡単な説明】
【００１１】
【図１Ａ】本考案に係る移乗用介護用品の平面図。
【図１Ｂ】本考案に係る移乗用介護用品の背面図。
【図２】本考案に係る移乗用介護用品に留め具を適用した場合の平面図。
【図３Ａ】実施例における移乗用介護用品の装着についての説明図。
【図３Ｂ】実施例における移乗用介護用品の装着についての説明図。
【図３Ｃ】実施例における移乗用介護用品の装着についての説明図。
【図３Ｄ】実施例における移乗用介護用品の装着についての説明図。
【図３Ｅ】実施例における移乗用介護用品の装着についての説明図。
【図３Ｆ】実施例における移乗用介護用品の装着についての説明図。
【図３Ｇ】実施例における移乗用介護用品の装着についての説明図。
【図４】本考案に係る移乗用介護用品による包持状態の説明図。
【図５Ａ】本考案に係る移乗用介護用品による移乗作業の説明図。
【図５Ｂ】本考案に係る移乗用介護用品による移乗作業の説明図。
【考案を実施するための形態】
【００１２】
以下、図面を参照にしながら本考案の移乗用介護用品の好適な実施の形態を詳細に説明する。
【実施例】
【００１３】
[本考案の構成]
＜１＞全体
本考案の移乗用介護用品は、包持部と脚拘束帯から構成する。包持部にはさらに挿通孔と把持部を有する。（図１Ａ、図１Ｂ）
素材は丈夫で破れにくく、伸縮性が小さい物が望ましい。具体的には、天然繊維又は合成繊維からなる織布又は不織布、合成樹脂シート等から適宜選択する。
また、素材にはデニム地のジーンズ等（ストレッチ素材を除く）を利用することができる。ジーンズは入手が容易であるほか、履き古したジーンズを再利用することで、資源の有効活用に資する効果がある。  
【００１４】
＜２＞包持部
包持部１は、臀部全体を包み込む、略方状の布状体である。
包持部１の下辺から下方に向かって、脚拘束帯２を延設する。
また、包持部１の左右の端部付近にそれぞれ、脚拘束帯２を挿通する為の挿通孔１１を有する。
さらに、包持部１上端部の左右の、挿通孔１１の内側付近に、移乗時に介護者が掴む為の把持部１２を有する。
包持部１の素材は、丈夫で破れにくく、伸縮性が小さい素材を採用する。
包持部１の素材に滑りやすいナイロン系等の素材を用いることで、丈夫さに加えて着脱の容易さを高める効果がある。
また、包持部１の素材にクッション性の高い素材を用いたり詰め物をすることで、移乗時の衝撃を減らし、要介護者の肌への外傷を防ぐ効果がある。
さらに、包持部１の左右の端部にフックやボタン等の留め具１３を設けることができる。（図２）
これにより、移乗用介護用品を装着する際に包持部１の位置ずれを防止することができる。
また、留め具１３を包持部１の幅方向に複数個設けることにより、留め具の係止位置を要介護者の身体の大きさに合わせて調整することができ、同一の規格の移乗用介護用品を、体格の異なる複数の要介護者に兼用することができる。  
【００１５】
＜３＞脚拘束帯
脚拘束帯２は、包持部１の下辺から延設する帯状体である。脚拘束帯の本数は例えば２本である。
脚拘束帯２を包持部１と一体形成とすることにより、延接部分の強度を高めることができる。
脚拘束帯２の先端部は、挿通孔１１に挿通した後、要介護者を移乗する際に介護者が握る。
脚拘束帯２の素材は、丈夫で破れにくく、伸縮性が小さい素材を採用する。
【００１６】
＜４＞挿通孔
挿通孔１１は、脚拘束帯２を挿通する為の孔であり、包持部１の左右の端部付近に設ける。
挿通孔１１は、例えば脚拘束帯２の形状に合わせた長穴状とする。
挿通孔１１には脚拘束帯２を介して要介護者の体重がかかる。その為、補強用の縫い目を入れたり、補強材をあてることで挿通孔１１の周縁部を補強することができる。
【００１７】
＜５＞把持部
把持部１２は、要介護者を移乗する時に介護者が掴む部分であり、包持部１の上辺近辺の、左右の挿通孔１１の内側寄りに設ける。
把持部１２は、例えば包持部１の上辺近くに縫いつける矩形の帯状体である。
本考案の移乗用介護用品を、ジーンズ等を加工して製造する場合には、ジーンズ等のベルト通しを把持部１２とすることができる。
【００１８】
[本考案の使用形態]
車椅子からベッドへの移乗を例に、本考案の使用形態について説明する。
【００１９】
＜１＞移乗用介護用品の定置
車椅子の、ベッド側のアームレストは、移乗時の邪魔になる為、あらかじめ取り外しておく。
介護者は、車椅子上の要介護者の正面に立つ。
要介護者は前かがみになり、車椅子の背もたれと要介護者の背中の間に空間を設ける。
介護者は要介護者の背中に本考案の移乗用介護用品をあてる。
この際、包持部１の上端を背中の上方向に向け、包持部１の下端を車椅子の座席に合わせる。脚拘束帯２は要介護者の身体の脇から左右に垂らす。
この時包持部１の上端は要介護者の腰部に、下端は要介護者の臀部上端に当接する。（図３Ａ）
【００２０】
＜２＞包持部の敷き込み
介護者は、要介護者の身体の脇に垂らした脚拘束帯２の一方の中ほどを片手で握り、他方の手で要介護者の膝を押さえる。
要介護者の膝を押さえたまま、脚拘束帯２を手前に引き、包持部１と脚拘束帯２の一部を要介護者の臀部の下に引きずり込んで敷き込む。同じように他方の脚拘束帯２を引き、包持部１と脚拘束帯２を臀部の下に敷き込む。
これにより、要介護者の臀部全体が包持部１の中心部分に乗る。（図３Ｂ）
【００２１】
尚、要介護者がベッドに寝ている体勢から移乗用介護用品を装着する場合には、次の作業で装着する。
まず要介護者が身体を横に向ける。その間に介護者が移乗用介護用品を要介護者の身体の下に敷く。その後の作業は当実施例と大きく変わらない為、説明を省略する。
この場合、要介護者の起き上がり時に包持部１の位置がずれる場合がある。
これを避けるため、包持部１の左右の端部にフックやボタン等の留め具１３を設け、要介護者の腹部の前で留めることで、包持部１のずれを防止することができる。（図３Ｃ）
【００２２】
＜３＞脚拘束帯の引きだし
一方の脚拘束帯２の端部を掴んで、要介護者の膝の下を潜らせる。膝の下を潜った脚拘束帯２の端部は、要介護者の股の間を通して腿の上に引きだす。（図３Ｄ）
同じように他方の脚拘束帯２も要介護者の膝の下を潜らせ、股の間を通して、端部を腿の上に引きだす。（図３Ｅ）
【００２３】
＜４＞挿通孔への挿通
包持部１の左右の端部を、要介護者の背後から引き出し、要介護者の腰へ添える。  
左右の脚拘束帯２を、要介護者の左右大腿部の付け根の上を渡して、包持部１の左右端部に設けた挿通孔１１へ通す。この際、要介護者からみた右側の脚拘束帯２は左側の挿通孔１１へ、左側の脚拘束帯２は右側の挿通孔１１へ、と脚拘束２を要介護者の身体の前面で交差させる。（図３Ｆ、図３Ｇ）
【００２４】
＜５＞包持の状態
以上の作業による、要介護者の包持の状態は次のとおりである。
包持部１の下辺は、脚拘束帯２に引っ張られて、臀部を下から支持する。包持部１の上辺は、要介護者の腰に当接する。
また、包持部１の左右の端部は挿通孔１１を通った脚拘束帯２に抑えられて臀部側面に密着する。
さらに、交差した脚拘束帯２が大腿部の付け根を拘束する。
これらの構成によって、移乗用介護用品が一体となって臀部全体を包持する。（図４）
【００２５】
＜６＞移乗作業
要介護者は、体幹を前方に倒して前傾姿勢になる。
介護者は、要介護者の上方から手をまわし、包持部１と、挿通孔１１に挿通した脚拘束帯２とを同時に掴む。この際、把持部１２に指をかけることにより、より安定して掴むことができる。（図５Ａ）
次に、介護者は要介護者を自分の身体の方向に引き寄せる。
この際、要介護者の膝を軸にした円の円周方向に引くことで、要介護者の立位がしっかりとれていない姿勢でも、無理なく要介護者の身体を支える事ができる。（図５Ｂ）
続いて、支えた要介護者を横方向に移動し、ベッドに腰掛けさせる。
【００２６】
＜７＞取り外し
ベッドに腰掛けた状態の要介護者に装着した移乗用介護用品を取り外す。
まず、挿通孔１１に挿通した脚拘束帯２を全て挿通孔１１から外す。
次に要介護者が前傾し、介護者が、要介護者の背後から、臀部の下に敷き込んだ包持部１を引き抜く。
また、ベッド上で座位を取れない要介護者の場合には、移乗後、要介護者はそのままベッドに横たわる。
この場合にも、まず挿通孔１１に挿通した脚拘束帯２を全て挿通孔１１から外す。
続いて要介護者の身体の下から移乗用介護用品を引き抜くことで簡単に取り外すことができる。
【００２７】
[総括]
本考案にかかる移乗用介護用品は、要介護者の臀部を全体的に包持することができ、また、着脱が容易である。
その為、移乗作業に係る介護者、要介護者双方の身体的な負担を軽減することができる。
また、移乗作業を効率的に行うことができ、転倒等の事故の危険性が少ない。さらに、製造コストも安価である上、廃材を再利用することで、地球資源の有効活用にも資する。
【符号の説明】
【００２８】
１    包持部
１１  挿通孔
１２  把持部
１３  留め具
２    脚拘束帯
【図１Ａ】
0003184339.tif 000003
【図１Ｂ】
0003184339.tif 000004
【図２】
0003184339.tif 000005
【図３Ａ】
0003184339.tif 000006
【図３Ｂ】
0003184339.tif 000007
【図３Ｃ】
0003184339.tif 000008
【図３Ｄ】
0003184339.tif 000009
【図３Ｅ】
0003184339.tif 000010
【図３Ｆ】
0003184339.tif 000011
【図３Ｇ】
0003184339.tif 000012
【図４】
0003184339.tif 000013
【図５Ａ】
0003184339.tif 000014
【図５Ｂ】
0003184339.tif 000015